(57)【要約】      （修正有）【課題】貨幣を受け入れられてから入金額が確定されるまでの所要時間を短縮し、且つ、取引処理中にエラーが発生したときの復旧作業を容易化して、その作業の所要時間を短縮させる。【解決手段】取引処理中のエラーを検知するエラー検知部１０３と、エラー検知部１０３によってエラーが検知されていないときには、記憶部１０１に記憶された第１計数データ１０１Ｂに基づいて入金確定データ１０１Ｄを作成し、エラー検知部１０３によってエラーが検知されたときには、記憶部１０１に記憶された第２計数データ１０１Ｃに基づいて記憶部１０１に記憶された入金確定データ１０１Ｄを修正する制御部１０２と、を備えている。【選択図】図３
2010067171.tif 000002
【特許請求の範囲】
【請求項１】
貨幣を受け入れる受入部と、
前記受入部によって受け入れられた貨幣の金種を識別し、識別された貨幣の枚数を金種別に計数する識別部と、
前記識別部によって識別された貨幣を金種別に収納する収納部と、
前記収納部に収納される貨幣の枚数を金種別に計数する収納枚数計数部と、
前記識別部の計数結果を示す第１計数データ、前記収納枚数計数部の計数結果を示す第２計数データ、および確定された入金額を示す入金確定データを記憶する記憶部と、
取引処理中のエラーを検知するエラー検知部と、
前記エラー検知部によってエラーが検知されていないときには、前記記憶部に記憶された前記第１計数データに基づいて前記入金確定データを作成し、前記エラー検知部によってエラーが検知されたときには、前記記憶部に記憶された前記第２計数データに基づいて前記記憶部に記憶された前記入金確定データを修正する制御部と、を備えることを特徴とする取引処理装置。
【請求項２】
前記記憶部は、機内に存在する貨幣の在高を示す在高データをさらに記憶し、
前記第２計数データは、今回の取引が行われる前の在高データと前記今回の取引が行われた後の在高データとの差である請求項１に記載の取引処理装置。
【請求項３】
少なくとも補充モードの指示を受け付ける操作部をさらに備え、
前記記憶部は、機内に存在する貨幣の在高を示す在高データをさらに記憶し、
前記制御部は、前記操作部によって前記補充モードの指示が受け付けられた場合には、前記記憶部に記憶された前記第２計数データに基づいて前記入金確定データを作成し、前記記憶部に記憶された前記在高データを更新する請求項１に記載の取引処理装置。
【請求項４】
前記入金確定データを出力する出力部をさらに備える請求項１乃至３の何れか１項に記載の取引処理装置。
【請求項５】
前記出力部は、前記入金確定データをネットワーク経由で送信する通信部を含む請求項４に記載の取引処理装置。
【請求項６】
前記出力部は、前記入金確定データを表示する表示部を含む請求項４または５に記載の取引処理装置。
【請求項７】
取引処理装置およびＰＯＳレジスタを含む取引処理システムであって、
前記取引処理装置は、
貨幣を受け入れる受入部と、
前記受入部によって受け入れられた貨幣の金種を識別し、識別された貨幣の枚数を金種別に計数する識別部と、
前記識別部によって識別された貨幣を金種別に収納する収納部と、
前記収納部に収納される貨幣の枚数を金種別に計数する収納枚数計数部と、
前記識別部の計数結果を示す第１計数データ、前記収納枚数計数部の計数結果を示す第２計数データ、および確定された入金額を示す入金確定データを記憶する記憶部と、
取引処理中のエラーを検知するエラー検知部と、
前記エラー検知部によってエラーが検知されていないときには、前記記憶部に記憶された前記第１計数データに基づいて前記入金確定データを作成し、前記エラー検知部によってエラーが検知されたときには、前記記憶部に記憶された前記第２計数データに基づいて前記記憶部に記憶された前記入金確定データを修正する制御部と、
前記入金確定データをネットワーク経由で前記ＰＯＳレジスタに送信する第１通信部と、を備え、
前記ＰＯＳレジスタは、
前記取引処理装置の第１通信部から送信された入金確定データをネットワーク経由で受信する第２通信部を備えることを特徴とする取引処理システム。
【請求項８】
貨幣を受け入れる受入工程と、
前記受入工程において受け入れられた貨幣の金種を識別し、識別された貨幣の枚数を金種別に計数する識別工程と、
前記識別工程において識別された貨幣を金種別に収納する収納工程と、
前記収納工程において収納される貨幣の枚数を金種別に計数する収納枚数計数工程と、
取引処理中のエラーを検知するエラー検知工程と、
前記エラー検知工程において、エラーが検知されていないときには、前記識別工程の計数結果を示す第１計数データに基づいて確定された入金額を示す入金確定データを作成し、前記エラー検知工程においてエラーが検知されたときには、前記収納枚数計数工程の計数結果を示す第２計数データに基づいて前記入金確定データを修正する制御工程と、を含むことを特徴とする取引処理方法。
【請求項９】
前記第２計数データは、今回の取引が行われる前の在高データと前記今回の取引が行われた後の在高データとの差である請求項８に記載の取引処理方法。
【請求項１０】
少なくとも補充モードの指示を受け付ける操作工程をさらに含み、
前記制御工程は、前記操作工程において前記補充モードの指示が受け付けられた場合には、前記第２計数データに基づいて前記入金確定データを作成し、前記在高データを更新する請求項８に記載の取引処理方法。
【請求項１１】
前記入金確定データを出力する出力工程をさらに含む請求項８乃至１０の何れか１項に記載の取引処理方法。
【請求項１２】
前記出力工程は、前記入金確定データをネットワーク経由で送信する請求項１１に記載の取引処理方法。
【請求項１３】
前記出力工程は、前記入金確定データを表示する請求項１１または１２に記載の取引処理方法。
【発明の詳細な説明】
【技術分野】
【０００１】
本発明は、商品等の購入の際に行われる貨幣の取引処理に使用される取引処理装置、取引処理システム、および取引処理方法に関する。
【背景技術】
【０００２】
店舗などで使用される一般的な取引処理システムは、顧客が購入する商品の金額（以下、「売上額」という）を確定するＰＯＳ（Ｐｏｉｎｔ−Ｏｆ−Ｓａｌｅｓ）レジスタと、顧客が支払った金額（以下、「入金額」という）を確定して、売上額と入金額との差額を釣銭として出金する取引処理装置と、から構成されている。
【０００３】
従来、このような取引処理システムを構成する取引処理装置として、顧客が支払った貨幣を受け入れ、その貨幣の識別および計数を行い、その貨幣の金種別の枚数に基づいて入金額を確定し、売上額と入金額との差額を算出して、顧客が支払った貨幣を金種別に収納するとともに算出された差額に相当する貨幣を釣銭として出金する取引処理システムおよび取引処理装置が知られている（たとえば、特許文献１および特許文献２参照）。
【０００４】
従来の取引処理装置では、貨幣を受け入れる受入部の下流側且つ近傍に設けられた識別部またはこの識別部の下流側且つ貨幣を収納する収納部の上流側に設けられた収納枚数計数部によって貨幣が計数され、その計数結果に基づいて入金額が確定される。
【０００５】
しかしながら、収納枚数計数部の計数結果に基づいて入金額が確定される場合には、収納枚数計数部が収納部の上流側且つ近傍に設けられているので、入金額が確定されるまでの貨幣の搬送距離（すなわち、受入部と収納枚数計数部との間の搬送距離）が比較的長くなってしまう。特に、搬送路に沿って金種別の収納部が並んで配置される為に、搬送路の最も下流側に配置される収納部までの距離が長くなってしまう。その為、貨幣が受け入れられてから入金額が確定されるまでの所要時間が長くなる。特に、この場合には、顧客が貨幣を支払ってから釣銭を受け取るまでの時間が長くなるので、取引処理装置を使用する店舗の業務効率が低下する。
【０００６】
一方、識別部の計数結果に基づいて入金額が確定される場合には、識別部が受入部の近傍に設けられているので、入金額が確定されるまでの貨幣の搬送距離（すなわち、受入部と識別部との間の搬送距離）が受入部と収納枚数計数部との間の搬送距離に比べて短くなる。したがって、収納枚数計数部の計数結果に基づいて入金額が確定される場合に比べて、貨幣が受け入れられてから入金額が確定されるまでの所要時間が短縮される。
【０００７】
しかしながら、取引処理中にエラーが発生したときに、識別部と収納部との間の搬送路上に入金額が確定した貨幣が残留した状態で装置が停止する可能性がある。この場合には、この搬送路上に残留する貨幣（すなわち、収納部に収納されていない貨幣）が識別部によって正常に計数され、預かり金として入金額が確定した貨幣か否かをオペレータが判断しなければならない。その結果、エラーの復旧作業が煩雑化して、その作業の所要時間が長くなるという問題がある。
【特許文献１】特開２００５−１４９０６４号公報
【特許文献２】特開２００５−２０２４９１号公報
【発明の開示】
【発明が解決しようとする課題】
【０００８】
すなわち、従来技術では、貨幣を受け入れられてから入金額が確定されるまでの所要時間を短縮し、且つ、取引処理中にエラーが発生したときの復旧作業を容易化して、その作業の所要時間を短縮させることはできない。
【０００９】
本発明は、このような点を考慮してなされたものであり、貨幣が受け入れられてから入金額が確定されるまでの所要時間を短縮し、且つ、取引処理中にエラーが発生したときの復旧作業を容易化して、その作業の所要時間を短縮させることができる取引処理装置、当該取引処理装置を含む取引処理システム、および取引処理方法を提供することを目的とする。
【課題を解決するための手段】
【００１０】
本発明の取引処理装置は、
貨幣を受け入れる受入部と、
前記受入部によって受け入れられた貨幣の金種を識別し、識別された貨幣の枚数を金種別に計数する識別部と、
前記識別部によって識別された貨幣を金種別に収納する収納部と、
前記収納部に収納される貨幣の枚数を金種別に計数する収納枚数計数部と、
前記識別部の計数結果を示す第１計数データ、前記収納枚数計数部の計数結果を示す第２計数データ、および確定された入金額を示す入金確定データを記憶する記憶部と、
取引処理中のエラーを検知するエラー検知部と、
前記エラー検知部によってエラーが検知されていないときには、前記記憶部に記憶された前記第１計数データに基づいて前記入金確定データを作成し、前記エラー検知部によってエラーが検知されたときには、前記記憶部に記憶された前記第２計数データに基づいて前記記憶部に記憶された前記入金確定データを修正する制御部と、を備えている。
【００１１】
本発明の取引処理装置において、
前記記憶部は、機内に存在する貨幣の在高を示す在高データをさらに記憶し、
前記第２計数データは、今回の取引が行われる前の在高データと前記今回の取引が行われた後の在高データとの差であることが好ましい。
【００１２】
本発明の取引処理装置において、
少なくとも補充モードの指示を受け付ける操作部をさらに備え、
前記記憶部は、機内に存在する貨幣の在高を示す在高データをさらに記憶し、
前記制御部は、前記操作部によって前記補充モードの指示が受け付けられた場合には、前記記憶部に記憶された前記第２計数データに基づいて前記入金確定データを作成し、前記記憶部に記憶された前記在高データを更新することが好ましい。
【００１３】
本発明の取引処理装置において、
前記入金確定データを出力する出力部をさらに備えることが好ましい。
【００１４】
本発明の取引処理装置において、
前記出力部は、前記入金確定データをネットワーク経由で送信する通信部を含むことが好ましい。
【００１５】
本発明の取引処理装置において、
前記出力部は、前記入金確定データを表示する表示部を含むことが好ましい。
【００１６】
本発明の取引処理システムは、
取引処理装置およびＰＯＳレジスタを含む取引処理システムであって、
前記取引処理装置は、
貨幣を受け入れる受入部と、
前記受入部によって受け入れられた貨幣の金種を識別し、識別された貨幣の枚数を金種別に計数する識別部と、
前記識別部によって識別された貨幣を金種別に収納する収納部と、
前記収納部に収納される貨幣の枚数を金種別に計数する収納枚数計数部と、
前記識別部の計数結果を示す第１計数データ、前記収納枚数計数部の計数結果を示す第２計数データ、および確定された入金額を示す入金確定データを記憶する記憶部と、
取引処理中のエラーを検知するエラー検知部と、
前記エラー検知部によってエラーが検知されていないときには、前記記憶部に記憶された前記第１計数データに基づいて前記入金確定データを作成し、前記エラー検知部によってエラーが検知されたときには、前記記憶部に記憶された前記第２計数データに基づいて前記記憶部に記憶された前記入金確定データを修正する制御部と、
前記入金確定データをネットワーク経由で前記ＰＯＳレジスタに送信する第１通信部と、を備え、
前記ＰＯＳレジスタは、
前記取引処理装置の第１通信部から送信された入金確定データをネットワーク経由で受信する第２通信部を備えている。
【００１７】
本発明の取引処理方法は、
貨幣を受け入れる受入工程と、
前記受入工程において受け入れられた貨幣の金種を識別し、識別された貨幣の枚数を金種別に計数する識別工程と、
前記識別工程において識別された貨幣を金種別に収納する収納工程と、
前記収納工程において収納される貨幣の枚数を金種別に計数する収納枚数計数工程と、
取引処理中のエラーを検知するエラー検知工程と、
前記エラー検知工程において、エラーが検知されていないときには、前記識別工程の計数結果を示す第１計数データに基づいて確定された入金額を示す入金確定データを作成し、前記エラー検知工程においてエラーが検知されたときには、前記収納枚数計数工程の計数結果を示す第２計数データに基づいて前記入金確定データを修正する制御工程と、を含んでいる。
【００１８】
本発明の取引処理方法において、
前記第２計数データは、今回の取引が行われる前の在高データと前記今回の取引が行われた後の在高データとの差であることが好ましい。
【００１９】
本発明の取引処理方法において、
少なくとも補充モードの指示を受け付ける操作工程をさらに含み、
前記制御工程は、前記操作工程において前記補充モードの指示が受け付けられた場合には、前記第２計数データに基づいて前記入金確定データを作成し、前記在高データを更新することが好ましい。
【００２０】
本発明の取引処理方法において、
前記入金確定データを出力する出力工程をさらに含むことが好ましい。
【００２１】
本発明の取引処理方法において、
前記出力工程は、前記入金確定データをネットワーク経由で送信することが好ましい。
【００２２】
本発明の取引処理方法において、
前記出力工程は、前記入金確定データを表示することが好ましい。
【発明の効果】
【００２３】
本発明によれば、貨幣が受け入れられてから入金額が確定されるまでの所要時間を短縮し、且つ、取引処理中にエラーが発生したときの復旧作業を容易化して、その作業の所要時間を短縮させることができる。
【発明を実施するための最良の形態】
【００２４】
以下、本発明の実施例について図面を参照して説明する。なお、以下の実施例は、本発明の実施の一形態であって、本発明の範囲を限定するものではない。
【００２５】
はじめに、本発明の実施例に係る取引処理システムについて図１乃至図４を参照して説明する。図１は、本発明の実施例に係る取引処理システムの構成を示す概略図であり、図２は、本発明の実施例に係る硬貨用釣銭機１０の内部構成を示す概略図であり、図３は、本発明の実施例に係る硬貨用釣銭機１０およびＰＯＳレジスタ３０の機能ブロックを示すブロック図であり、図４は、本発明の実施例に係る紙幣用釣銭機２０の内部構成を示す概略図である。
【００２６】
図１に示すように、取引処理システムは、売上額が入力されるとともに、紙幣または硬貨からなる預かり金が入金され、且つ、釣銭としての紙幣または硬貨が出金される硬貨用釣銭機１０および紙幣用釣銭機２０から構成される取引処理装置と、この取引処理装置にネットワーク４０を介して接続されて通信可能となっているＰＯＳレジスタ３０と、このＰＯＳレジスタ３０に接続されているカスタマーディスプレイ５０と、を備えている。
【００２７】
図２に示すように、硬貨用釣銭機１０は、預かり金としての硬貨を機内に受け入れる硬貨受入部１１と、硬貨の金種を識別し、識別された硬貨の枚数を金種別に計数する硬貨識別部１２と、硬貨を金種別に収納する硬貨収納部１３と、硬貨収納部１３に収納される硬貨の枚数を金種別に計数する硬貨収納枚数計数部１４と、所定の硬貨を機外に出金する硬貨出金放出部１５と、硬貨を搬送する硬貨搬送路１６と、を備えている。硬貨受入部１１、硬貨識別部１２、硬貨収納部１３、硬貨収納枚数計数部１４、および硬貨出金放出部１５は、それぞれ硬貨搬送路１６に沿って設けられている。
【００２８】
また、図２に示すように、硬貨受入部１１は、オペレータが入金する硬貨を投入できるように構成されている。また、硬貨受入部１１は、オペレータによって投入された硬貨を硬貨用釣銭機１０の機内に繰り入れる繰入機構を備えている。硬貨受入部１１によって受け入れられた硬貨は、硬貨搬送路１６を通って硬貨識別部１２へ搬送される。
【００２９】
また、図２に示すように、硬貨識別部１２は、硬貨受入部１１の下流側に設けられている。また、硬貨識別部１２は、硬貨受入部１１によって受け入れられた硬貨の金種を識別するセンサ（図示せず）と、その枚数を計数するカウンタ（図示せず）と、を備えている。また、硬貨識別部１２は、金種別の計数結果を後述の硬貨制御部１０２に送るようになっている。硬貨識別部１２によって金種が識別された硬貨（以下、「正常硬貨」という）は、後述の分岐点１６Ａを経由して硬貨収納部１３へ搬送され、硬貨識別部１２によって金種が識別されなかった硬貨（以下、「リジェクト硬貨」という）は、後述の分岐点１６Ａを経由して硬貨出金放出部１５へ搬送される。
【００３０】
また、図２に示すように、硬貨収納部１３は、硬貨識別部１２の下流側に設けられている。また、硬貨収納部１３は、金種別に硬貨を収納する硬貨金種別収納庫１３Ａ乃至１３Ｆを含んでいる。硬貨金種別収納庫１３Ａ乃至１３Ｆは、硬貨搬送路１６に沿って並んで配置されている。硬貨金種別収納庫１３Ａは、硬貨搬送路１６の中で硬貨識別部１２に最も近い位置（上流側）に配置されており、硬貨金種別収納庫１３Ｆは、硬貨搬送路１６の中で硬貨識別部１２に最も遠い位置（下流側）に配置されている。最も上流側に設けられた硬貨金種別収納庫１３Ａには、最も高額な硬貨（たとえば、５００円硬貨）が収納され、最も下流側に設けられた硬貨金種別収納庫１３Ｆには、最も低額な硬貨（たとえば、１円硬貨）が収納される。各硬貨金種別収納庫１３Ａ乃至１３Ｆは、出金すべき硬貨を硬貨搬送路１６へ繰り出す繰出機構（図示せず）を備えている。
【００３１】
また、図２に示すように、硬貨収納枚数計数部１４は、硬貨識別部１２と硬貨収納部１３との間の硬貨搬送路１６上であって、後述の分岐点１６Ａの下流側に設けられている。硬貨収納枚数計数部１４は、硬貨識別部１２から硬貨収納部１３へ搬送される硬貨の枚数を金種別に計数するカウンタ（図示せず）を備えている。また、硬貨収納枚数計数部１４は、計数結果を硬貨制御部１０２に送るようになっている。硬貨識別部１２によって金種が識別された硬貨は、硬貨収納枚数計数部１４によって計数された後に、硬貨収納部１３の各硬貨金種別収納庫１３Ａ乃至１３Ｆの何れかへ収納される。たとえば、硬貨収納枚数計数部１４は、後述の分岐点１６Ｂにカウンタ（図示せず）を備え、各硬貨金種別収納庫１３Ａ乃至１３Ｆへ金種別に硬貨が分岐されるときに、金種別の枚数を計数する。
【００３２】
また、図２に示すように、硬貨出金放出部１５は、後述の分岐点１６Ｄの下流側に設けられている。また、硬貨出金放出部１５は、硬貨収納部１３に収納された硬貨のうち釣銭用に出金される硬貨（以下、「釣銭硬貨」という）およびリジェクト硬貨を硬貨用釣銭機１０の機外へ放出するようになっている。また、硬貨出金放出部１５は、オペレータが放出された硬貨を外部から取り出せるように構成されている。
【００３３】
また、図２に示すように、硬貨搬送路１６上には、硬貨識別部１２と硬貨収納部１３または硬貨出金放出部１５との間の分岐点１６Ａと、硬貨収納部１３と硬貨収納枚数計数部１４との間の分岐点１６Ｂと、硬貨収納部１３の硬貨金種別収納庫１３Ａ乃至１３Ｆから硬貨出金放出部１５への合流点１６Ｃと、硬貨識別部１２または硬貨収納部１３の硬貨金種別収納庫１３Ａ乃至１３Ｆから硬貨出金放出部１５への合流点１６Ｄと、が設けられている。また、硬貨搬送路１６上には、硬貨の通過を検知するセンサ（図示せず）が設けられている。各分岐点１６Ａ乃至１６Ｄには通過する硬貨を所定の行き先に分岐する分岐爪（図示せず）が設けられている。
【００３４】
図３に示すように、硬貨用釣銭機１０は、硬貨受入部１１、硬貨識別部１２、硬貨収納部１３、硬貨収納枚数計数部１４、硬貨出金放出部１５、および硬貨搬送路１６に加えて、所定のデータを記憶する記憶部１０１と、硬貨用釣銭機１０を制御する硬貨制御部１０２と、取引処理中のエラーを検知するエラー検知部１０３と、オペレータの指示を受け付ける操作部１０４と、所定のデータを出力する出力部１０５と、を備えている。
【００３５】
また、図３に示すように、記憶部１０１は、硬貨制御部１０２によって実行される制御プログラム１０１Ａと、硬貨識別部１２の計数結果を示す第１計数データ１０１Ｂと、硬貨収納枚数計数部１４の計数結果（今回の取引で硬貨収納部１３に収納された硬貨の在高）を示す第２計数データ１０１Ｃと、確定された入金額を示す入金確定データ１０１Ｄと、硬貨用釣銭機１０の機内に存在する硬貨の在高を示す在高データ１０１Ｅと、を記憶するようになっている。
【００３６】
また、図３に示すように、硬貨制御部１０２は、記憶部１０１に記憶された制御プログラム１０１Ａを起動して、硬貨受入部１１、硬貨識別部１２、硬貨収納部１３、硬貨収納枚数計数部１４、硬貨出金放出部１５、および硬貨搬送路１６、ならびに、記憶部１０１、エラー検知部１０３、操作部１０４、および出力部１０５を制御するようになっている。また、硬貨制御部１０２は、後述の第１通信部１０５Ａを介して後述のＰＯＳレジスタ３０のＰＯＳ制御部３１や紙幣用釣銭機２０の紙幣制御部（図示せず）と通信を行うようになっている。
【００３７】
また、図３に示すように、エラー検知部１０３は、取引処理中のエラー（たとえば、硬貨識別部１２を通過した硬貨が硬貨収納部１３の上流側の搬送路上に残留している状態）を検知するようになっている。また、エラー検知部１０３は、エラーを検知したときに、エラー検知信号を硬貨制御部１０２に送るようになっている。
【００３８】
また、図３に示すように、操作部１０４は、オペレータの指示を受け付ける複数のキーを備えている。たとえば、操作部１０４は、預かり金を入金し、釣銭を出金する取引モードや釣銭用の硬貨を補充する補充モードを受け付けるためのモードキーと、入金された硬貨の入金額の確定を承認するための承認キーと、を備えている。
【００３９】
また、図３に示すように、出力部１０５は、ネットワーク４０経由でＰＯＳレジスタ３０に所定の情報を出力する第１通信部１０５Ａと、所定の情報を表示する第１表示部１０５Ｂと、を含んでいる。
【００４０】
また、図３に示すように、ＰＯＳレジスタ３０は、ＰＯＳレジスタ３０を制御するＰＯＳ制御部３１と、硬貨用釣銭機１０との間の通信インタフェースである第２通信部３２と、所定の情報を表示する第２表示部３３と、所定の情報を印字する印字部３４と、オペレータの指示を受け付けるＰＯＳ操作部３５と、を備えている。
【００４１】
また、図３に示すように、ＰＯＳ制御部３１は、オペレータによってＰＯＳ操作部３５から売上額などが入力される度、且つ、硬貨用釣銭機１０に預かり金が入金される度に、売上額と預かり金との差額を算出し、その差額を過不足金額として第２表示部３３に表示するようになっている。また、ＰＯＳ制御部３１は、硬貨用釣銭機１０から出力されたデータが第２通信部３２に入力されると、そのデータを第２表示部３３に表示するようになっている。また、ＰＯＳ制御部３１は、第２表示部３３に表示されるデータと同じデータをカスタマーディスプレイ５０にも表示するようになっている。また、ＰＯＳ制御部３１は、第２通信部３２を介して硬貨用釣銭機１０の硬貨制御部１０２と通信を行うようになっている。たとえば、ＰＯＳ制御部３１は、第２通信部３２を介して硬貨用釣銭機１０の硬貨制御部１０２に算出した差額を釣銭額として送る。
【００４２】
図４に示すように、紙幣用釣銭機２０は、紙幣が挿入される紙幣入金口２１と、紙幣入金口２１によって受け入れられた紙幣を機内に繰り込む紙幣繰込ユニット２２と、紙幣繰込ユニット２２に連結され、紙幣繰込ユニット２２によって繰り込まれた紙幣を搬送する接続搬送路２３ｂと、接続搬送路２３ｂに連結され、接続搬送路２３ｂから搬送された紙幣を搬送する周回搬送路２３ａと、を有している。なお、この周回搬送路２３ａは、紙幣繰込ユニット２２によって繰り込まれた紙幣を搬送する場合には反時計回りに当該紙幣を搬送し、後述する紙幣収納部２６内から紙幣を繰り出す場合には時計回りに当該紙幣を搬送する。
【００４３】
また、図４に示すように、周回搬送路２３ａには、紙幣の金種などを識別する紙幣識別部２４が設けられ、この紙幣識別部２４には、紙幣制御部（図示せず）が接続され、紙幣識別部２４によって識別された紙幣の金種などが、当該紙幣制御部に送られる。また、周回搬送路２３ａには、接続搬送路２３ｂを介して紙幣収納部２６が連結されており、この紙幣収納部２６には、紙幣識別部２４による識別結果に基づいて、所定の金種が金種別に収納される。
【００４４】
また、図４に示すように、周回搬送路２３ａには、たとえば、紙幣収納部２６内の紙幣を全て、または、売上金相当額だけ回収したい場合などに、紙幣収納部２６から繰り出された紙幣を収納する回収カセット２７が、接続搬送路２３ｂを介して連結されている。なお、紙幣識別部２４で識別された金種の紙幣収納部２６が満杯である場合には、この紙幣は「オーバーフロー紙幣」として、回収カセット２７に収納される。
【００４５】
また、図４に示すように、周回搬送路２３ａには、出金時に紙幣収納部２６から繰り出された紙幣が放出される放出ユニット２８が、接続搬送路２３ｂを介して連結されている。また、この放出ユニット２８には、紙幣を機外へ放出する紙幣出金口２５が設けられている。なお、放出ユニット２８は、入金時に汚損などにより紙幣識別部２４によって金種を識別することができない紙幣（入金リジェクト紙幣）が放出されるようにもなっている。
【００４６】
また、図４に示すように、周回搬送路２３ａには、紙幣収納部２６から繰り出された紙幣が、斜行などにより紙幣識別部２４によって金種を識別できない場合に、当該紙幣（出金リジェクト紙幣）を収納する紙幣出金リジェクト部２９が連結されている。
【００４７】
なお、本発明の実施例では、紙幣用釣銭機２０が、硬貨用釣銭機１０と異なる構成を備えている例について説明したが、硬貨用釣銭機１０と同様の構成を備えていても良い。この場合には、硬貨用釣銭機１０の第１通信部１０５ＡおよびＰＯＳレジスタ３０の第２通信部３２は、紙幣用釣銭機２０と接続される。
【００４８】
次に、本発明の実施例に係る取引処理システムの処理内容について図５乃至図１４を参照して説明する。図５は、本発明の実施例に係るモード設定処理の処理手順を示すフローチャートであり、図６は、本発明の実施例に係るモード設定画面を示す概略図であり、図７は、本発明の実施例に係る取引処理の処理手順を示すフローチャートであり、図８は、本発明の実施例に係る取引画面を示す概略図であり、図９は、本発明の実施例に係る入金処理の処理手順を示すフローチャートであり、図１０は、本発明の実施例に係る制御処理の処理手順を示すフローチャートであり、図１１および図１２は、本発明の実施例に係る取引画面を示す概略図であり、図１３は、本発明の実施例に係る補充処理の処理手順を示すフローチャートであり、図１４は、本発明の実施例に係る補充画面を示す概略図である。なお、以下の説明では、硬貨用釣銭機１０が関わる処理の例について説明するが、紙幣用釣銭機２０が関わる処理も同様に行われても良い。
【００４９】
はじめに、本発明の実施例に係るモード設定処理について説明する。モード設定処理は、顧客が購入する商品の取引を行う取引モードまたは取引処理装置に釣銭を補充する補充モードを設定するときに行われる。
【００５０】
はじめに、図５に示すように、操作工程（Ｓ５０１）が行われる。操作工程（Ｓ５０１）では、オペレータが、図６に示すようなモード設定画面を見ながら、操作部１０４のモードキーを操作することによって、取引モードまたは補充モードの設定を行う。このとき、操作部１０４は、オペレータの操作に基づいて、取引モードまたは補充モードの指示を受け付ける。
【００５１】
次に、図５に示すように、モード設定工程（Ｓ５０２）が行われる。モード設定工程（Ｓ５０２）では、操作部１０４が、操作工程（Ｓ５０１）において受け付けられた指示に基づいて、取引モードまたは補充モードを設定する。このとき、硬貨制御部１０２は、操作部１０４によって設定されたモードに基づいて、後述の取引処理または後述の補充処理を行う。
【００５２】
図５に示すように、本発明の実施例に係るモード設定処理は、モード設定工程（Ｓ５０２）の後に終了する。
【００５３】
次に、本発明の実施例に係る取引処理について説明する。取引処理は、モード設定工程（図５のＳ５０２）において取引モードが設定されたときに行われる処理である。
【００５４】
はじめに、図７に示すように、商品登録工程（Ｓ７０１）が行われる。商品登録工程（Ｓ７０１）では、オペレータが、ＰＯＳ操作部３５を操作することによって、顧客が購入する商品をＰＯＳレジスタ３０に登録する。
【００５５】
次に、図７に示すように、売上額確定工程（Ｓ７０２）が行われる。売上額確定工程（Ｓ７０２）では、オペレータが、ＰＯＳ操作部３５を操作することによって、顧客が購入する商品の売上額を確定する。このとき、ＰＯＳ制御部３１は、図８に示すような取引画面を第２表示部３３およびカスタマーディスプレイ５０に表示する。図８は、確定された売上額が５４５０円であることを示している。
【００５６】
次に、図７に示すように、入金処理（Ｓ７０３）が行われる。入金処理（Ｓ７０３）では、はじめに、図９に示すように、受入工程（Ｓ９０１）が行われる。受入工程（Ｓ９０１）では、オペレータが、顧客から受け取った硬貨（預かり金）を硬貨受入部１１に投入する。このとき、硬貨受入部１１は、オペレータによって投入された硬貨を硬貨用釣銭機１０の機内に受け入れる。
【００５７】
次に、図９に示すように、識別工程（Ｓ９０２）が行われる。識別工程（Ｓ９０２）では、硬貨識別部１２が、受入工程（Ｓ９０１）において受け入れられた硬貨の金種を識別し、金種別の枚数を計数し、識別結果および計数結果を硬貨制御部１０２に送る。このとき、硬貨制御部１０２は、硬貨識別部１２によって金種が識別された硬貨については、「正常硬貨」と判定し、硬貨識別部１２から送られた計数結果を第１計数データ１０１Ｂとして記憶部１０１に書き込む。また、硬貨制御部１０２は、硬貨識別部１２によって金種が識別されなかった硬貨については、「リジェクト硬貨」と判定する。
【００５８】
次に、図９に示すように、識別工程（Ｓ９０２）において「正常硬貨」と判定された場合には（Ｓ９０３−ＹＥＳ）、収納枚数計数工程（Ｓ９０４）が行われる。収納枚数計数工程（Ｓ９０４）では、硬貨収納枚数計数部１４が、硬貨の枚数を金種別に計数し、計数結果を硬貨制御部１０２に送る。このとき、硬貨制御部１０２は、硬貨収納計数部１４から送られた計数結果を第２計数データ１０１Ｃとして記憶部１０１に書き込む。
【００５９】
次に、図９に示すように、収納工程（Ｓ９０５）が行われる。収納工程（Ｓ９０５）では、硬貨収納部１３が、識別工程（Ｓ９０２）において「正常硬貨」と判定された硬貨を硬貨金種別収納庫１３Ａ乃至１３Ｆに金種別に収納する。
【００６０】
一方、図９に示すように、識別工程（Ｓ９０２）において「リジェクト硬貨」と判定された場合には（Ｓ９０３−ＮＯ）、リジェクト工程（Ｓ９０６）が行われる。リジェクト工程（Ｓ９０６）では、硬貨制御部１０２が、「リジェクト硬貨」と判定された硬貨を返却する。このとき、硬貨出金放出部１５は、リジェクト硬貨と判定された硬貨を硬貨用釣銭機１０の機外へ放出する。
【００６１】
図９に示すように、本発明の実施例に係る入金処理は、収納工程（Ｓ９０５）またはリジェクト工程（Ｓ９０６）の後に終了する。
【００６２】
また、図７に示すように、入金処理（Ｓ７０３）と並行して、制御処理（Ｓ７０４）が行われる。制御処理（Ｓ７０４）では、はじめに、図１０に示すように、硬貨制御部１０２が、識別工程（図９のＳ９０２）において記憶部１０１に書き込まれた第１計数データ１０１Ｂに基づいて入金確定データ１０１Ｄを作成し、その入金確定データ１０１Ｄを記憶部１０１に書き込むとともに、出力部１０５へ送る（Ｓ１００１）。
【００６３】
次に、図１０に示すように、在高更新工程（Ｓ１００２）が行われる。在高更新工程（Ｓ１００２）では、硬貨制御部１０２が、Ｓ１００１において記憶部１０１に書き込まれた入金確定データ１０１Ｄに基づいて記憶部１０１に記憶された在高データ１０１Ｅを更新する。
【００６４】
次に、図１０に示すように、第１出力工程（Ｓ１００３）が行われる。第１出力工程（Ｓ１００３）では、出力部１０５が、Ｓ１００１において送られた入金確定データ１０１Ｄを出力する。たとえば、第１通信部１０５Ａは、ネットワーク４０を介して第２通信部３２へ入金確定データ１０１Ｄを出力する。このとき、ＰＯＳ制御部３１は、図１１に示すような取引画面を第２表示部３３およびカスタマーディスプレイ５０に表示する。また、硬貨制御部１０２は、図１１に示すような取引画面を第１表示部１０５Ｂに表示する。図１１は、確定された入金額が５５００円であることを示している。
【００６５】
次に、図１０に示すように、エラー検知工程（Ｓ１００４）が行われる。エラー検知工程（Ｓ１００４）では、エラー検知部１０３が、取引処理中のエラーの有無を検知する。このとき、エラー検知部１０３は、検知結果を硬貨制御部１０２に送る。
【００６６】
次に、図１０に示すように、エラー検知工程（Ｓ１００４）においてエラーが検知された場合には（Ｓ１００５−ＹＥＳ）、硬貨制御部１０２が、収納枚数計数工程（図９のＳ９０３）において記憶部１０１に書き込まれた第２計数データ１０１Ｃに基づいて記憶部１０１に記憶された入金確定データ１０１Ｄを修正し、修正された入金確定データ１０１Ｄを出力部１０５へ送る（Ｓ１００６）。
【００６７】
次に、図１０に示すように、エラー解除工程（Ｓ１００７）が行われる。エラー解除工程（Ｓ１００７）では、硬貨制御部１０２が、硬貨用釣銭機１０の各部を一時停止させ、硬貨搬送路１６上に残留している硬貨を硬貨出金放出部１５から放出し、制御プログラム１０１Ａによって硬貨用釣銭機１０をリセットする。
【００６８】
次に、図１０に示すように、第２出力工程（Ｓ１００８）が行われる。第２出力工程（Ｓ１００８）では、出力部１０５が、Ｓ１００６において送られた入金確定データ１０１Ｄを出力する。たとえば、第１通信部１０５Ａは、ネットワーク４０を介して第２通信部３２へ入金確定データ１０１Ｄを出力する。このとき、ＰＯＳ制御部３１は、図１２に示すような取引画面を第２表示部３３およびカスタマーディスプレイ５０に表示する。また、硬貨制御部１０２は、図１２に示すような取引画面を第１表示部１０５Ｂに表示する。図１２は、エラー解除工程（Ｓ１００７）において１００円硬貨が硬貨出金放出部１５から放出されたことを示している。
【００６９】
図１０に示すように、本発明の実施例に係る制御処理は、エラー検知工程（Ｓ１００４）においてエラーが検知されなかった場合（Ｓ１００５−ＮＯ）または第２出力工程（Ｓ１００８）の後に終了する。
【００７０】
また、図７に示すように、入金処理（Ｓ７０３）および制御処理（Ｓ７０４）は、記憶部１０１に記憶された入金確定データ１０１Ｄが示す入金額が売上額確定工程（Ｓ７０２）において確定された売上額以上となるまで繰り返される（Ｓ７０５−ＮＯ）。
【００７１】
一方、図７に示すように、入金処理（Ｓ７０３）および制御処理（Ｓ７０４）の結果、記憶部１０１に記憶された入金確定データ１０１Ｄが示す入金額が売上額確定工程（Ｓ７０２）において確定された売上額以上となった場合であって（Ｓ７０５−ＹＥＳ）、且つ、入金額と売上額が等しくない（すなわち、入金額が売上額より多い）場合には（Ｓ７０６−ＮＯ）、出金工程（Ｓ７０７）が行われる。出金工程（Ｓ７０７）では、硬貨制御部１０２が、ＰＯＳ制御部３１から送られた釣銭額を出金する。このとき、硬貨収納部１３は、各硬貨金種別収納庫１３Ａ乃至１３Ｆから所定枚数の硬貨を繰り出す。また、硬貨出金放出部１５は、硬貨収納部１３から繰り出された硬貨を硬貨用釣銭機１０の機外へ放出する。
【００７２】
図７に示すように、本発明の実施例に係る取引処理は、出金工程（Ｓ７０７）の後に終了する。
【００７３】
次に、本発明の実施例に係る補充処理について説明する。補充処理は、モード設定工程（図５のＳ５０２）において補充モードが設定されたときに行われる処理である。
【００７４】
はじめに、図１３に示すように、受入工程（Ｓ１３０１）が行われる。受入工程（Ｓ１３０１）では、オペレータが、補充用の硬貨を硬貨受入部１１に投入する。このとき、硬貨受入部１１は、オペレータによって投入された硬貨を硬貨用釣銭機１０の機内に受け入れる。
【００７５】
次に、図１３に示すように、識別工程（Ｓ１３０２）が行われる。識別工程（Ｓ１３０２）では、硬貨識別部１２が、受入工程（Ｓ１３０１）において受け入れられた硬貨の金種を識別し、金種別の枚数を計数し、識別結果および計数結果を硬貨制御部１０２に送る。このとき、硬貨制御部１０２は、硬貨識別部１２によって金種が識別された硬貨については、「正常硬貨」と判定し、硬貨識別部１２から送られた計数結果を第１計数データ１０１Ｂとして記憶部１０１に書き込む。また、硬貨制御部１０２は、硬貨識別部１２によって金種が識別されなかった硬貨については、「リジェクト硬貨」と判定する。
【００７６】
次に、図１３に示すように、識別工程（Ｓ１３０２）において「正常硬貨」と判定された場合には（Ｓ１３０３−ＹＥＳ）、収納枚数計数工程（Ｓ１３０４）が行われる。収納枚数計数工程（Ｓ１３０４）では、硬貨収納枚数計数部１４が、硬貨の枚数を金種別に計数し、計数結果を硬貨制御部１０２に送る。このとき、硬貨制御部１０２は、硬貨収納計数部１４から送られた計数結果を第２計数データ１０１Ｃとして記憶部１０１に書き込む。
【００７７】
次に、図１３に示すように、硬貨制御部１０２が、収納枚数計数工程（Ｓ１３０４）において記憶部１０１に書き込まれた第２計数データ１０１Ｃに基づいて入金確定データ１０１Ｄを作成し、その入金確定データ１０１Ｄを記憶部１０１に書き込むとともに、出力部１０５へ送る（Ｓ１３０５）。
【００７８】
次に、図１３に示すように、収納工程（Ｓ１３０６）が行われる。収納工程（Ｓ１３０６）では、硬貨収納部１３が、識別工程（Ｓ１３０２）において「正常硬貨」と判定された硬貨を硬貨金種別収納庫１３Ａ乃至１３Ｆに金種別に収納する。
【００７９】
次に、図１３に示すように、在高更新工程（Ｓ１３０７）が行われる。在高更新工程（Ｓ１３０７）では、硬貨制御部１０２が、Ｓ１３０５において記憶部１０１に書き込まれた入金確定データ１０１Ｄに基づいて記憶部１０１に記憶された在高データ１０１Ｅを更新する。
【００８０】
一方、図１３に示すように、識別工程（Ｓ１３０２）において「リジェクト硬貨」と判定された場合には（Ｓ１３０３−ＮＯ）、リジェクト工程（Ｓ１３０８）が行われる。リジェクト工程（Ｓ１３０８）では、硬貨制御部１０２が、「リジェクト硬貨」と判定された硬貨を出金する。このとき、硬貨出金放出部１５は、リジェクト硬貨と判定された硬貨を硬貨用釣銭機１０の機外へ放出する。
【００８１】
次に、図１３に示すように、在高更新工程（Ｓ１３０７）またはリジェクト工程（Ｓ１３０８）の後に、出力工程（Ｓ１３０９）が行われる。出力工程（Ｓ１３０９）では、出力部１０５が、Ｓ１３０５において記憶部１０１に書き込まれた入金確定データ１０１Ｄおよび在高更新工程（Ｓ１３０７）において更新された在高データ１０１Ｅを出力する。たとえば、硬貨制御部１０２は、図１４に示すような補充画面を第１表示部１０５Ｂに表示する。図１４は、予め機内在高が４０００円であり、収納枚数計数工程（Ｓ１３０４）の計数結果が５９９９円であり、機内在高が９９９９円になったことを示している。
【００８２】
図１３に示すように、本発明の実施例に係る補充処理は、出力工程（Ｓ１３０９）の後に終了する。
【００８３】
なお、本発明の実施例に係る取引処理システムの構成としては、オペレータと顧客とが対面するタイプのレジシステムであっても良いし、顧客自らが操作するセルタイプのレジシステムであっても良いことは言うまでもない。
【００８４】
また、本発明の実施例に係る紙幣用釣銭機２０は、硬貨用釣銭機２０と同様の機能ブロックを備えても良い。
【００８５】
また、本発明の実施例では、第２計数データ１０１Ｃは、硬貨収納枚数計数部１４の計数結果に限られるものではなく、今回の取引が行われる前の在高と今回の取引が行われた後の在高との差であっても良い。この場合には、在高データ１０１Ｅは、今回の取引が行われる前の在高および今回の取引が行われた後の在高を含み、硬貨制御部１０２は、在高データ１０１Ｅに含まれる今回の取引が行われる前の在高と今回の取引が行われた後の在高との差を算出して、その算出結果を第２計数データ１０１Ｃとして記憶部１０１に書き込む。
【００８６】
本発明の実施例によれば、図７および図１０に示すように、取引処理においてエラーが検知されていない場合には、硬貨識別部１２の識別結果に基づいて入金額が確定されるので、顧客が硬貨を支払ってから入金額が確定されるまでの所要時間を短縮することができる。
【００８７】
また、本発明の実施例によれば、図７および図１０に示すように、取引処理においてエラーが検知された場合には、硬貨収納枚数計数部１４の計数結果（すなわち、硬貨収納部１３に収納された硬貨に対する計数結果）に基づいて入金額が確定され、硬貨出金放出部１５から放出された硬貨の計数結果（すなわち、硬貨識別部１２の計数結果）が入金額に含まれることはないので、オペレータは、硬貨出金放出部１５から放出された硬貨を再計数するだけで良い。その結果、取引処理中にエラーが発生したときの復旧作業を容易化して、その作業の所要時間を短縮させることができる。
【００８８】
また、本発明の実施例によれば、図５に示すように、操作部１０４が、エラーの有無に関わらず硬貨収納枚数計数部１４の計数結果に基づいて入金額が確定される補充処理を行うための補充モードの指示を受け付けるので、使用状況に応じて適切な処理を実行することができる。
【００８９】
また、本発明の実施例によれば、紙幣用釣銭機２０が硬貨用釣銭機１０と同様の機能ブロックを備えている場合には、紙幣の取引処理においても硬貨の取引処理と同様の効果を得ることができる。
【図面の簡単な説明】
【００９０】
【図１】本発明の実施例に係る取引処理システムの構成を示す概略図である。
【図２】本発明の実施例に係る硬貨用釣銭機１０の内部構成を示す概略図である。
【図３】本発明の実施例に係る硬貨用釣銭機１０およびＰＯＳレジスタ３０の機能ブロックを示すブロック図である。
【図４】本発明の実施例に係る紙幣用釣銭機２０の内部構成を示す概略図である。
【図５】本発明の実施例に係るモード設定処理の処理手順を示すフローチャートである。
【図６】本発明の実施例に係るモード設定画面を示す概略図である。
【図７】本発明の実施例に係る取引処理の処理手順を示すフローチャートである。
【図８】は、本発明の実施例に係る取引画面を示す概略図である。
【図９】本発明の実施例に係る入金処理の処理手順を示すフローチャートである。
【図１０】本発明の実施例に係る制御処理の処理手順を示すフローチャートである。
【図１１】本発明の実施例に係る取引画面を示す概略図である。
【図１２】本発明の実施例に係る取引画面を示す概略図である。
【図１３】本発明の実施例に係る補充処理の処理手順を示すフローチャートである。
【図１４】本発明の実施例に係る補充画面を示す概略図である。
【符号の説明】
【００９１】
１０  硬貨用釣銭機
１１  硬貨受入部
１２  硬貨識別部
１３  硬貨収納部
１４  硬貨収納枚数計数部
１５  硬貨出金放出部
１６  硬貨搬送路
１０１  記憶部
１０２  硬貨制御部
１０３  エラー検知部
１０４  操作部
１０５  出力部
１０５Ａ  第１通信部
１０５Ｂ  第１表示部
２０  紙幣用釣銭機
２１  紙幣入金口
２２  紙幣繰込ユニット
２３ａ  周回搬送路
２３ｂ  接続搬送路
２４  紙幣識別部
２５  紙幣出金口
２６  紙幣収納部
２７  回収カセット
２８  放出ユニット
２９  紙幣出金リジェクト部
３０  ＰＯＳレジスタ
３１  ＰＯＳ制御部
３２  第２通信部
３３  第２表示部
３４  印字部
３５  ＰＯＳ操作部
４０  ネットワーク
５０  カスタマーディスプレイ
【図１】
2010067171.tif 000003
【図２】
2010067171.tif 000004
【図３】
2010067171.tif 000005
【図４】
2010067171.tif 000006
【図５】
2010067171.tif 000007
【図６】
2010067171.tif 000008
【図７】
2010067171.tif 000009
【図８】
2010067171.tif 000010
【図９】
2010067171.tif 000011
【図１０】
2010067171.tif 000012
【図１１】
2010067171.tif 000013
【図１２】
2010067171.tif 000014
【図１３】
2010067171.tif 000015
【図１４】
2010067171.tif 000016